(57)【要約】【課題】任意の情報を利用者が記録可能な記憶装置から情報が漏洩することを防止することを目的とする。また、当該記憶装置の不正使用を防止することを目的とする。【解決手段】記録媒体の記憶情報を維持する電力の供給又は記憶媒体の情報を読出す回路の動作電力の供給を、暗証情報を用いて継続又は遮断する機能を有する記憶装置を提供する。この記憶装置は記録媒体が揮発性メモリで構成される場合には、その記憶情報を維持する電力の供給を暗証情報を用いて管理し、該暗証情報によって電力の供給を継続又は遮断することで記憶情報を維持又は消去する電源部を有している。また、記録媒体が不揮発性メモリで構成される場合には、その記憶情報を読出す回路の動作に必要な電力の供給を暗証情報を用いて管理し、該暗証情報によって電力供給を継続又は遮断することで回路の動作を制御する電源部を有している。【選択図】図１
2008243189.tif 000002
【特許請求の範囲】
【請求項１】
少なくとも一部に揮発性メモリを含む記録媒体と、
前記揮発性メモリへ情報の書込み、前記揮発性メモリの情報の読出し、及び前記揮発性メモリの情報の消去の動作を制御する記録媒体制御部と、
前記揮発性メモリに記録された情報を維持する電力を供給する蓄電部と、
暗証情報が入力され、前記蓄電部への充電可否を判定する認証部と、
前記認証部の承認が得られたとき前記蓄電部の充電を行う充電回路と、を有することを特徴とする記憶装置。
【請求項２】
請求項１において、
前記揮発性メモリの情報を読出す期間を指定する時間情報が記録されたメモリ部を有し、
前記メモリ部は前記認証部に接続されていることを特徴とする記憶装置。
【請求項３】
不揮発性メモリを含む記録媒体と、
前記記録媒体へ情報の書込み、前記記録媒体の情報の読出し、及び前記記録媒体の情報の消去の動作を制御する記録媒体制御部と、
前記記録媒体制御部に駆動電力を供給する蓄電部と、
暗証情報が入力され、前記蓄電部への充電可否を判定する認証部と、
前記認証部の承認が得られたとき前記蓄電部の充電を行う充電回路と、を有することを特徴とする記憶装置。
【請求項４】
請求項１乃至請求項３のいずれか一項において、
前記認証部が前記記録媒体制御部と接続され、
前記暗証情報が、前記記録媒体制御部から前記認証部に出力されることを特徴とする記憶装置。
【請求項５】
請求項４において、
前記暗証情報は、暗証番号であることを特徴とする記憶装置。
【請求項６】
請求項１乃至請求項３のいずれか一項において、
指紋センサ、網膜センサ又は顔画像センサで構成されるセンサ部を有し、
前記暗証情報は、前記センサ部から前記認証部に入力される信号であることを特徴とする記憶装置。
【請求項７】
請求項１乃至請求項６のいずれか一項において、
前記充電回路の充電を行うための電磁波を受信するアンテナを有することを特徴とする記憶装置。
【請求項８】
請求項７において、
前記電磁波の周波数帯は、３０ｋＨｚから３０ＧＨｚであることを特徴とする記憶装置。
【請求項９】
請求項１乃至請求項８のいずれか一項に記載の記憶装置が脱着可能に設けられている電子機器。
【発明の詳細な説明】
【技術分野】
【０００１】
本発明は記憶装置に関する。特に書換え可能なメモリカードに類する記憶装置に関する。
【背景技術】
【０００２】
携帯電話機に代表される情報端末装置の発展に伴い、各種の情報を記録しておく記憶装置の重要性が高まっている。記憶装置としては半導体メモリ、ハードディスクなどが主として用いられている。情報端末装置に記憶する情報はスケジュールや住所録などの文字情報だけでなく、デジタルカメラで記録した画像情報やインターネット等で配信される音楽情報などがある。そのため情報端末装置に用いる記憶装置の大容量化が図られている。
【０００３】
情報端末装置の性能が向上するに伴って利用者が大量の情報を気軽に持ち運ぶことが容易となり、社会生活において利便性が高まっている。その一方、記憶装置に記録した情報の漏洩が問題となっている。情報端末装置で入力可能なデータが多様化したため、もし記憶装置を紛失した場合には、第三者に個人情報が漏洩してしまう恐れがある。また、情報端末装置を廃棄する場合、物理的に破壊しなければ記憶装置に情報が残されてしまい、悪意の第三者によって公衆に開示されてしまうといった不安もある。
【０００４】
そこで第三者に情報が漏洩しないようにするために、暗証番号などを用いて当該情報を保護することが考えられている。例えば、メモリカードにパスワード検証の失敗回数を記憶するリトライカウンタを設け、一定の失敗回数に達した場合にデータを強制的に消去するものが知られている（特許文献１参照）。
【特許文献１】特開２００５−０１１１５１号公報
【発明の開示】
【発明が解決しようとする課題】
【０００５】
しかしながら、暗証番号等を用いてセキュリティを確保しようとしても、その暗証番号が解読されてしまえば記憶装置に記録されている情報の読出しが可能となってしまう。また何らかの代替手段が開発されれば記録されている情報に直接アクセスして読出しをされてしまう恐れがある。
【０００６】
そこで本発明は、任意の情報を利用者が記録可能な記憶装置から情報が漏洩することを防止することを目的とする。また、当該記憶装置の不正使用を防止することを目的とする。
【課題を解決するための手段】
【０００７】
本発明は記録媒体の記憶情報を維持する電力の供給又は記憶媒体の情報を読出す回路の動作電力の供給を、暗証情報を用いて継続又は遮断する機能を有する記憶装置である。この記憶装置は記録媒体が揮発性メモリで構成される場合には、その記憶情報を維持する電力の供給を暗証情報を用いて管理し、該暗証情報によって電力の供給を継続又は遮断することで記憶情報を維持又は消去する電源部を有している。また、記録媒体が不揮発性メモリで構成される場合には、その記憶情報を読出す回路の動作に必要な電力の供給を暗証情報を用いて管理し、該暗証情報によって電力供給を継続又は遮断することで回路の動作を制御する電源部を有している。
【０００８】
電源部においては蓄電部を設け、該蓄電部の充電は接触式又は非接触式で行うことが好ましい。記録媒体の記憶情報を維持する電力又は記録媒体の記憶情報を読出す回路の動作に必要な電力に対し、電源部における蓄電部の容量を調節することにより、記録媒体に記憶された情報を一定期間利用できるように構成することもできる。
【０００９】
本発明に係る一の記憶装置は、少なくとも一部に揮発性メモリを含む記録媒体と、揮発性メモリへ情報の書込み、読出し及び消去の動作を制御する記録媒体制御部と、揮発性メモリに記録された情報を維持する電力を供給する電源部とを有し、電源部は、蓄電部と、暗証情報が入力され蓄電部への充電可否を判定する認証部と、認証部の承認が得られたとき蓄電部の充電を行う充電回路とを有する。
【００１０】
本発明に係る一の記憶装置は、不揮発性メモリを含む記録媒体と、記録媒体へ情報の書込み、読出し及び消去の動作を制御する記録媒体制御部と、記録媒体制御部に駆動電力を供給する電源部とを有し、電源部は、蓄電部と、暗証情報が入力され蓄電部への充電可否を判定する認証部と、認証部の承認が得られたとき蓄電部の充電を行う充電回路とを有する。
【発明の効果】
【００１１】
暗証情報により充電可能な蓄電部を備え、該蓄電部より揮発性メモリに記録された情報を維持する電力を供給することにより、記憶装置から情報が漏洩してしまうことを防ぐことができる。
【００１２】
暗証情報により充電可能な蓄電部を備え、該蓄電部より不揮発性メモリの書込み及び読出し動作を制御する記録媒体制御部の動作に必要な電力を供給することで、記憶装置から情報が漏洩してしまうことを防ぐことができる。
【発明を実施するための最良の形態】
【００１３】
本発明の実施の形態について、図面を用いて以下に説明する。但し、本発明は以下の説明に限定されず、本発明の趣旨及びその範囲から逸脱することなくその形態及び詳細をさまざまに変更し得ることは当業者であれば容易に理解される。従って、本発明は以下に示す実施の形態の記載内容に限定して解釈されるものではない。なお、以下に説明する本発明の構成において、同じものを指す符号は異なる図面間で共通して用いることとする。
【００１４】
この発明に係る記憶装置は、情報を記憶する記録媒体、記録媒体へ情報の書込み、読出し及び消去の動作を制御する記録媒体制御部及び電源部を有している。これらの構成要素が有機的に相互に作用することによって、記憶装置の利用者における個人情報等を保護する機能を発現させている。まず、代表的な構成を図面を参照して説明する。
【００１５】
（第１の構成）
図１は本実施の形態における記憶装置の第１の構成を示す。図１で示す記憶装置１００は記録媒体１０１、記録媒体制御部１０２、電源部１０３を有している。記憶装置１００において記録媒体１０１は、揮発性メモリ又は不揮発性メモリで構成されている。揮発性メモリとしては、ダイナミックＲＡＭ（Ｒａｎｄｏｍ  Ａｃｃｅｓｓ  Ｍｅｍｏｒｙ）、スタティックＲＡＭ、疑似スタティックＲＡＭなどが適用される。不揮発性メモリとしては、フローティングゲート型メモリトランジスタ又は電荷トラップ型メモリトランジスタで構成されるＮＡＮＤ型フラッシュメモリ若しくはＮＯＲ型フラッシュメモリなどが適用される。その他、不揮発性メモリとしてハードディスクメモリを適用することもできる。
【００１６】
記録媒体１０１は利用者が任意の情報を書込み、その情報を読出すことができるように構成されている。記録媒体１０１への情報の書込み、記録媒体１０１からの情報の読出し及び記録媒体１０１に記録されている情報の消去の制御は、記録媒体制御部１０２で行う。記録媒体制御部１０２には入出力部１０６から書込み情報、制御命令などが入力され、また記録媒体制御部１０２を介して読出し情報が記録媒体１０１から入出力部１０６へ出力される。
【００１７】
記憶装置１００に対する制御命令、記録媒体１０１に書き込む情報は入出力部１０６に入力される。記憶装置１００を非接触式とする場合には、入出力部１０６の構成として無線信号を受信するアンテナ回路、共振回路などが含まれる。記録媒体制御部１０２には変調回路、復調回路が設けられ無線通信により情報の入出力が行われる。なお、無線通信により情報の入出力を行わない場合には、入出力部１０６に接触式の入力端子を設け、適宜インピーダンス整合回路、保護回路などを設ければ良い。
【００１８】
電源部１０３は充電制御部１０４と蓄電部１０５を含んで構成されている。充電制御部１０４は入出力部１０７から伝送される交流波を整流し、蓄電部１０５を充電する回路である。交流波には１００Ｈｚから５０ＧＨｚの電磁波を適応させることもできる。例えば入出力部１０７に受信用のアンテナを設け、無線周波数帯である３０ｋＨｚから３０ＧＨｚの電磁波を受信するようにしても良い。無線による電力供給は、電磁波を記憶装置１００に送信する充電器によって行うことができる。その他にも、空中を伝搬する電磁波を任意に受信して、充電制御部１０４を介して蓄電部１０５に充電しても良い。なお、入出力部１０７の構成として接触式の入力端子を設けても良い。
【００１９】
蓄電部１０５は、リチウムイオン二次電池、リチウムイオンポリマー二次電池、ニッケル・水素蓄電池、ニッケル・カドミウム蓄電池などの二次電池（充電を行うことにより電気を蓄えて繰り返し使用することが出来る化学電池）、またはキャパシター（コンデンサ）などで構成される。蓄電部１０５は記録媒体１０１の動作に必要な電力を供給する。蓄電部１０５は、記録媒体１０１のメモリセルアレイの駆動回路の動作に必要な電力を供給するように構成されている。この場合、蓄電部１０５の電力が消失すると記録媒体１０１の動作は止まり、情報の書込み及び読出しができなくなる。また、蓄電部１０５は、揮発性メモリセルアレイのメモリセルに書き込まれた情報を維持するための電力を供給するように構成されている。この場合、蓄電部１０５の電力が消失すると記録媒体１０１の情報は消失するので、情報の読出しができなくなる。
【００２０】
本構成例では、特定の暗証情報を認証できた場合に蓄電部１０５が動作状態となるように充電制御部１０４に充電制御手段を含ませることが可能である。記録媒体１０１は蓄電部１０５の電力供給によって動作が可能となるので、充電制御部１０４に認証情報によって充電の許可を行う充電制御手段を設けることで、許可されていない第三者が記録媒体１０１に記録されている情報を利用できないようにすることができる。
【００２１】
本構成例によれば、蓄電部１０５の電力を暗証情報等を用いて管理することにより、記録媒体１０１に記録されている情報を特定の利用者だけに利用可能とすることができる。記録媒体１０１の消費電力を考慮して、一回の満充電で利用可能な時間を蓄電部１０５の容量で設定できるので、記憶装置１００から情報が漏洩するリスクを低減することができる。また、記録媒体１０１の消費電力を考慮して蓄電部１０５の容量を設定し、又は蓄電部１０５に充電する電力を調節することにより、記憶装置１００の利用可能時間を設定することができる。
【００２２】
（第２の構成）
図２は本実施の形態における記憶装置の第２の構成を示す。図２で示す記憶装置１００は記録媒体１０１、記録媒体制御部１０２、電源部１０３を有している。記録媒体１０１は一部に揮発性メモリ１０８を含んで構成されている。揮発性メモリの代表例としては半導体メモリが適用され、例えばダイナミックＲＡＭ、スタティックＲＡＭ、疑似スタティックＲＡＭなどが適用される。揮発性メモリ１０８には補助電源１０９が接続されている。補助電源１０９は揮発性メモリ１０８に書き込まれた情報を維持するための電力を供給するために用いる。例えば、スタティックＲＡＭにおいてメモリセルに書き込まれたデータを維持するために用いる。ダイナミックＲＡＭではリフレッシュ動作のために用いる。
【００２３】
この補助電源１０９の電力は電源部１０３における蓄電部１０５から供給される。電源部１０３の構成は図１で説明した第１の構成と同様である。また、記録媒体制御部１０２、入出力部１０６、入出力部１０７も第１の構成と同様なものを適用することができる。
【００２４】
本構成によれば、記録媒体１０１における揮発性メモリ１０８に秘匿性の高い情報を記憶させておき、その情報の利用を電源部１０３を用いて管理することができる。記録媒体１０１において、揮発性メモリ１０８以外のメモリ領域は、不揮発性メモリ或いは読出し専用メモリで構成し、任意に読出し可能としておいても良い。
【００２５】
このように、蓄電部１０５の電力を暗証情報等を用いて管理することにより、揮発性メモリ１０８に記録されている情報を特定の利用者だけに利用可能とすることができる。揮発性メモリ１０８に書き込まれた情報は補助電源１０９からの電力供給が止まると消失してしまうので、その後第三者が解読しようとしても不可能となる。揮発性メモリ１０８の消費電力を考慮して、一回の満充電で利用可能な時間を蓄電部１０５の容量で設定できるので、記憶装置１００から情報が漏洩するリスクを低減することができる。また、揮発性メモリ１０８の消費電力を考慮して蓄電部１０５の容量を設定し、又は蓄電部１０５に充電する電力を調節することにより、記憶保持時間を設定することができる。
【００２６】
（第３の構成）
図３は本実施の形態における記憶装置の第３の構成を示す。図３で示す記憶装置１００は記録媒体１０１、記録媒体制御部１０２、電源部１０３を有している。記録媒体１０１は第１の構成と同様である。本構成では、記録媒体制御部１０２の駆動電力を蓄電部１０５から供給する構成となっている。蓄電部１０５からの電力供給が止まると記録媒体１０１から情報を読み出すことができなくなる。電源部１０３の構成は第１の構成と同様であり、暗証情報により蓄電部１０５の充電を管理することにより記憶装置１００の情報を管理することができる。
【００２７】
本構成例によれば、蓄電部１０５の電力を暗証情報等を用いて管理することにより、記録媒体１０１に記録されている情報を特定の利用者だけに利用可能とすることができる。記録媒体制御部１０２の消費電力を考慮して、蓄電部１０５の容量を適切に設定することにより、記憶装置１００から情報を読み出す期間を設定することもできる。
【００２８】
（電源部の構成）
本実施の形態に係る記憶装置における第１の構成、第２の構成及び第３の構成において、共通に適用することのできる充電制御部１０４の構成を図４乃至図６を参照して説明する。
【００２９】
図４は暗証番号を用いて充電の管理を行う充電制御部１０４の構成を示す。暗証番号は記憶装置１００の制御命令と共に入力され、記録媒体制御部１０２から認証部１１０に入力される。認証部１１０において充電許可の認証が得られれば、充電を許可する信号が充電回路１１２に出力される。充電回路１１２は充電を許可する信号が入力された場合に充電動作を行う。充電制御部１０４には予め暗証情報を記憶させるメモリ部１１１を設けておき、認証部１１０において、入力された暗証番号と暗証情報との比較を行うようにすれば良い。
【００３０】
図５は記憶装置に生体情報を識別するセンサ部１１３（生体情報センサ）を設け、その出力信号（センサ信号）を認証部１１０に入力する構成を示している。センサ部１１３は、指紋センサ、網膜センサ又は顔画像センサなどが適用され、個体特有の情報を認識する。個体情報は予めメモリ部１１１に登録しておき、認証部１１０において、センサ部１１３からの出力信号を演算処理により解析して認証を行うようにすれば良い。
【００３１】
図６はメモリ部１１１に充電回路１１２を動作させることが可能な時間情報を記憶させておく構成を示している。この時間情報（期限管理情報）は、記憶装置１００の制御命令と共に入力され、記録媒体制御部１０２からメモリ部１１１に記録される。認証部１１０に入力される暗証情報は、図４のように暗証番号であっても良いし、図５のように個体を識別するセンサ部１１３からの出力信号であっても良い。認証部１１０において、期限管理情報と暗証情報を演算処理することにより、利用者に対して期間を限定して記憶装置の情報を提供することができる。
【００３２】
（記録媒体の第１の構成例）
図７に本実施の形態において適用することのできる記録媒体の一例として、不揮発性メモリの構成を示す。図７は不揮発性メモリの一例としてフラッシュメモリの構成をブロック図として示す。
【００３３】
不揮発性メモリ１１４にはコマンド入出力ポート１１５、データ入出力ポート１１６、電源入力ポート１２９の各端子が備えられている。コマンド入出力ポート１１５には不揮発性メモリ１１４の動作を制御する命令が入力される。制御命令としては、書込命令、読出命令、消去命令などである。これらの制御命令と共に、不揮発性メモリセルアレイ１２５のアドレスを指定する情報もコマンド入出力ポート１１５を介して入出力される。制御命令及びアドレスを指定する情報はコマンド制御回路１１７で処理され、カラムアドレスデコーダ１１９及びロウアドレスデコーダ１２０へアドレス命令が出力される。カラムアドレスデコーダ１１９はカラムアドレス命令をデコードして、ビット線アドレスを指定する信号などをカラムデコーダ１２３に出力する。ロウアドレスデコーダ１２０はロウアドレス命令をデコードして、ワード線アドレスを指定する信号などをロウデコーダ１２４に出力する。
【００３４】
不揮発性メモリセルアレイ１２５は、ゲート構造としてフローティングゲート又は電荷トラップ層を有するメモリトランジスタをマトリクス状に配置させて構成されている。メモリトランジスタはカラムデコーダ１２３から延びるビット線（ＢＬ）と、ロウデコーダ１２４から延びるワード線（ＷＬ）により選択され、データの入出力が行われる。
【００３５】
不揮発性メモリセルアレイ１２５に書込む情報は、データ入出力ポート１１６から入力され、入出力バッファ１１８を介して書込回路１２２に送られる。書込回路１２２はデータをカラムデコーダ１２３に出力する。
【００３６】
不揮発性メモリセルアレイ１２５のデータは、カラムデコーダ１２３からセンスアンプ１２１を介して読出される。センスアンプ１２１の出力は入出力バッファ１１８に送られて、データ入出力ポート１１６を経て送信される。
【００３７】
不揮発性メモリ１１４の動作に必要な電力は電源入力ポート１２９から入力される。電源入力ポート１２９は、図１乃至図３で示す電源部１０３に接続している。すなわち、蓄電部１０５の電力が電源入力ポート１２９を介して電源回路１２８に供給される。供給された電力は電源回路１２８で安定化され各回路に供給される。不揮発性メモリセルアレイ１２５の書込み及び消去において高い電圧が必要な場合には、昇圧回路１２７で昇圧された電力が書込回路１２２、ウエルドライバ１２６に供給される。ウエルドライバ１２６はコマンド制御回路１１７から送信されるブロック選択信号と同期して動作する。選択されたメモリブロックのウエルに所望の電圧を印加する。例えば、ブロック単位で一括消去する場合にウエルドライバ１２６が動作する。
【００３８】
図７で示すように、不揮発性メモリ１１４は電源部１０３からの電力供給で動作が可能となる。すなわち、電源部１０３の電力供給を管理することで情報の書込み、読出し及び消去の動作を制御することができる。この場合、不揮発性メモリ１１４が記憶する情報は維持されるので、読出し又は書込みを禁止しつつ情報を保持したい場合には図７の構成は有用である。なお、図７で示す不揮発性メモリ１１４構成は、記録媒体１０１の全部又は一部を構成する要素として適用可能である。
【００３９】
（記録媒体の第２の構成例）
図８に本実施の形態において適用することのできる記録媒体の一例として、揮発性メモリの構成を示す。図８は揮発性メモリの一例としてスタティックＲＡＭの構成をブロック図として示す。
【００４０】
揮発性メモリ１３０には入力ポート１３１、出力ポート１３２、電源入力ポート１４３の各端子が備えられている。入力ポート１３１には揮発性メモリ１３０の動作を制御する命令が入力される。制御命令としては、書込命令、読出命令、消去命令などである。これらの制御命令と共に、揮発性メモリセルアレイ１３９のアドレスを指定する情報及び記憶情報が入力ポート１３１から入力される。これらの制御命令及びアドレスを指定する情報は制御回路１３４で処理され、カラムアドレスデコーダ１３５及びロウアドレスデコーダ１３６へアドレス命令が出力される。また、記憶情報は入力バッファ１３３に出力される。カラムアドレスデコーダ１３５はカラムアドレス命令をデコードして、ビット線アドレスを指定する信号などをカラムデコーダ１３７に出力する。ロウアドレスデコーダ１３６はロウアドレス命令をデコードして、ワード線アドレスを指定する信号などをロウデコーダ１３８に出力する。
【００４１】
揮発性メモリセルアレイ１３９に書込む情報は、入力バッファ１３３からカラムデコーダ１３７に送られ、ビット線を介して所定のメモリセルに書き込まれる。メモリセルの選択はカラムデコーダ１３７とロウデコーダ１３８が同期することにより行われる。揮発性メモリセルアレイ１３９のデータは、カラムデコーダ１３７からセンスアンプ１４０を介して読出される。センスアンプ１４０の出力は出力バッファ１４１に送られて、出力ポート１３２を経て送信される。
【００４２】
揮発性メモリセルアレイ１３９は、インバータを２段リング接続してＨレベル（高レベル）とＬレベル（低レベル）の二つの安定状態のどちらかを保持できるスタティックＲＡＭの構成となっている。その他、読出しと書込みの制御を行うため選択用のトランジスタがカラムデコーダ１３７から延びるビット線に接続されている。スタティックＲＡＭはインバータにデータを保持する構成となっているので、保持に必要な電力を供給していればデータを保持し続けることができる。保持に必要な電力が供給されなくなると、それまで保持していたデータが消えてしまう。消費電力はインバータのリーク電流だけになるので、ダイナミックＲＡＭと比較して少なくて済む。
【００４３】
揮発性メモリ１３０の記憶保持に必要な電力は電源入力ポート１４３から入力される。電源入力ポート１４３は、図１乃至図３で示す電源部１０３に接続している。すなわち、蓄電部１０５の電力が電源入力ポート１４３を介して補助電源回路１４２に供給される。供給された電力は補助電源回路１４２で安定化され揮発性メモリセルアレイ１３９に供給される。
【００４４】
図８で示すように、揮発性メモリ１３０は電源部１０３からの電力供給を制御することで記憶情報の保持又は消去が可能となる。すなわち、電源部１０３の電力供給を管理することで情報の書込み、読出し及び消去の動作を制御することができる。この場合、電力供給が止まると揮発性メモリ１３０が記憶する情報は消去されるので、記憶情報を残しておきたくない場合には図８の構成は有効である。なお、図８で示す揮発性メモリ１３０はスタティックＲＡＭについて示しているが、リフレッシュ回路の動作電力を電源部１０３から供給するようにすればダイナミックＲＡＭや疑似スタティックＲＡＭなどの構成を採用することもできる。
【実施例１】
【００４５】
本発明に係る記憶装置はさまざまな電子機器と組み合わせて用いることができる。図９は携帯電話機１４４に本発明に係る記憶装置１００を適用する場合を例示している。携帯電話機１４４にはメモリスロット１４５が備えられ、そこに記憶装置１００を挿入する構成となっている。記憶装置１００に記憶されている情報は、音声又は音楽情報として再生することができる。また画像若しくは映像又は文字情報として表示パネル１４６に表示させることができる。
【００４６】
このような携帯電話機１４４のシステム構成の一例を図１０に示す。アンテナ１４８、ＲＦ回路１４９、ベースバンドプロセッサ１５０は７００〜９００ＭＨｚ帯、１．７〜２．５ＧＨｚ帯の無線通信を行うために設けられている。音声・画像処理プロセッサ１５１はＣＰＵ１５２と通信を行い、ビデオコントローラ１５４にビデオ信号等を送る。また、スピーカ１５７への音声出力、マイクロフォン１５８から音声入力、カメラモジュール１５９から送られてくる画像データの処理などを行う。ＣＰＵ１５２はメインメモリ１５３に記憶されているオペレーティングプログラムに従って動作し、入力部１５５からの信号を受けて、音声・画像処理プロセッサ１５１の制御を行う。その他にもＣＰＵ１５２は、通信インターフェース１５６（入出力ＩＦ）を介してローカルエリアネットワークを使った通信を制御する。ビデオコントローラ１５４は表示パネル１４６及びサブ表示パネル１４７の制御を行う。
【００４７】
メモリスロット１４５に挿入される記憶装置１００の情報はＣＰＵ１５２に送られる。記憶装置１００の情報が音声情報（又は音楽情報）の場合にはスピーカ１５７から音声情報（又は音楽情報）が再生される。記憶装置１００の情報に画像若しくは映像情報が含まれる場合には、表示パネル１４６及び／又はサブ表示パネル１４７に画像若しくは映像が表示される。記憶装置１００の動作に必要な電源は、この携帯電話機１４４と別系統である。すなわち、図１乃至図３で示すように記憶装置１００の記憶情報を管理する電源が記憶装置１００に独立して備えられている。このため、記憶装置１００の記憶情報は携帯電話機１４４とは独立して管理することが可能となる。このような構成とすることで、例えば携帯電話機１４４を紛失し、その後悪意の第三者がそれを取得したとしても、記憶装置１００に記憶されている情報が利用されることを防ぐことができる。
【実施例２】
【００４８】
本発明に係る記憶装置はさまざまな電子機器と組み合わせて用いることができる。図１１はデジタルプレーヤー１６０（デジタルオーディオプレーヤー）を示しており、オーディオ装置の１つの代表例である。デジタルプレーヤー１６０は、表示パネル１６１、操作部１６２、イヤホン１６３等を含んでいる。なお、イヤホン１６３の代わりにヘッドホンや無線式イヤホンを用いることができる。デジタルプレーヤー１６０で再生する音楽情報及び又は画像若しくは映像情報は記憶装置１００に記憶されている。記憶装置１００はデジタルプレーヤー１６０から脱着可能に設けられている。この場合記憶装置１００の動作に必要な電源は、このデジタルプレーヤー１６０と別系統で供給する。すなわち、図１乃至図３で示すように記憶装置１００の記憶情報を管理する電源が記憶装置１００に独立して備えられている。このため、記憶装置１００の記憶情報はデジタルプレーヤー１６０とは独立して管理することが可能となる。
【００４９】
また、図１２は、電子書籍１６４を示している。この電子書籍１６４は、表示部１６５、操作部１６６を含んでいる。電子書籍１６４で再生する情報は記憶装置１００に記憶されている。記憶装置１００は電子書籍１６４から脱着可能に設けられている。記憶装置１００の情報は操作部１６６を操作することにより表示部１６５で再生することができる。この場合、記憶装置１００の動作に必要な電源は電子書籍１６４と別系統で供給する。すなわち、図１乃至図３で示すように記憶装置１００の記憶情報を管理する電源が記憶装置１００に独立して備えられている。このため、記憶装置１００の記憶情報は電子書籍１６４とは独立して管理することが可能となる。
【００５０】
本実施例に示すように、音声や映像情報等を利用者に提供する電子機器の場合、その情報を管理するために記憶装置１００を用いることができる。その態様の一例を図１３を参照して説明する。
【００５１】
図１３は情報提供システムを示し、記憶装置１００の利用者と情報提供業者１６８の関係を示している。利用者１６７はある特定の情報の提供を受けたいとき、情報提供業者１６８にその旨を申し込む。この場合、利用者１６７と情報提供業者１６８との間では個人情報の管理や利用料の支払い条件などの契約がなされる。情報提供業者１６８はＩＤ番号の通知など、利用者１６７を特定し便宜を図る情報を提供する。利用者１６７は携帯電話機、デジタルオーティオプレーヤー、電子書籍などの電子機器を通じてＩＤ番号を記憶装置に入力する。情報提供業者１６８は記憶装置に要求された情報を記憶させ、その記憶を維持する（記憶装置１００を動作させる）電力を提供する。例えば、無線通信手段を利用して、記憶装置１００の入出力部１０６に提供情報を送り、入出力部１０７に蓄電部１０５を充電するための電力を送る。利用者１６７が提供された情報を利用可能な期間は、情報提供業者１６８によって提供される充電電力で管理することができるので、情報提供業者１６８においては収益向上を図ることができる。また、利用者にとっても、自己が利用した情報が記憶装置１００に蓄積されて履歴が残る心配がないので、プライバシーを守ることができる。
【図面の簡単な説明】
【００５２】
【図１】記録媒体、記録媒体制御部及び電源部を有する記憶装置の第１の構成を示す図。
【図２】記録媒体、記録媒体制御部及び電源部を有する記憶装置の第２の構成を示す図。
【図３】記録媒体、記録媒体制御部及び電源部を有する記憶装置の第３の構成を示す図。
【図４】記憶装置における電源部に含まれる充電制御部の第１の構成を示す図。
【図５】記憶装置における電源部に含まれる充電制御部の第２の構成を示す図。
【図６】記憶装置における電源部に含まれる充電制御部の第３の構成を示す図。
【図７】記録媒体の一例として示される不揮発性メモリの構成を示す図。
【図８】記録媒体の一例として示される揮発性メモリの構成を示す図。
【図９】実施例１で例示する記憶装置を利用する携帯電話機を説明する図。
【図１０】実施例１で例示する記憶装置を利用する携帯電話機の構成を説明する図。
【図１１】実施例２で例示する記憶装置を利用するデジタルプレーヤーを説明する図。
【図１２】実施例２で例示する記憶装置を利用する電子書籍を説明する図。
【図１３】実施例２で例示する情報提供システムを説明する図。
【符号の説明】
【００５３】
１００  記憶装置
１０１  記録媒体
１０２  記録媒体制御部
１０３  電源部
１０４  充電制御部
１０５  蓄電部
１０６  入出力部
１０７  入出力部
１０８  揮発性メモリ
１０９  補助電源
１１０  認証部
１１１  メモリ部
１１２  充電回路
１１３  センサ部
１１４  不揮発性メモリ
１１５  コマンド入出力ポート
１１６  データ入出力ポート
１１７  コマンド制御回路
１１８  入出力バッファ
１１９  カラムアドレスデコーダ
１２０  ロウアドレスデコーダ
１２１  センスアンプ
１２２  書込回路
１２３  カラムデコーダ
１２４  ロウデコーダ
１２５  不揮発性メモリセルアレイ
１２６  ウエルドライバ
１２７  昇圧回路
１２８  電源回路
１２９  電源入力ポート
１３０  揮発性メモリ
１３１  入力ポート
１３２  出力ポート
１３３  入力バッファ
１３４  制御回路
１３５  カラムアドレスデコーダ
１３６  ロウアドレスデコーダ
１３７  カラムデコーダ
１３８  ロウデコーダ
１３９  揮発性メモリセルアレイ
１４０  センスアンプ
１４１  出力バッファ
１４２  補助電源回路
１４３  電源入力ポート
１４４  携帯電話機
１４５  メモリスロット
１４６  表示パネル
１４７  サブ表示パネル
１４８  アンテナ
１４９  ＲＦ回路
１５０  ベースバンドプロセッサ
１５１  音声・画像処理プロセッサ
１５２  ＣＰＵ
１５３  メインメモリ
１５４  ビデオコントローラ
１５５  入力部
１５６  通信インターフェース
１５７  スピーカ
１５８  マイクロフォン
１５９  カメラモジュール
１６０  デジタルプレーヤー
１６１  表示パネル
１６２  操作部
１６３  イヤホン
１６４  電子書籍
１６５  表示部
１６６  操作部
１６７  利用者
１６８  情報提供業者
【図１】
2008243189.tif 000003
【図２】
2008243189.tif 000004
【図３】
2008243189.tif 000005
【図４】
2008243189.tif 000006
【図５】
2008243189.tif 000007
【図６】
2008243189.tif 000008
【図７】
2008243189.tif 000009
【図８】
2008243189.tif 000010
【図９】
2008243189.tif 000011
【図１０】
2008243189.tif 000012
【図１１】
2008243189.tif 000013
【図１２】
2008243189.tif 000014
【図１３】
2008243189.tif 000015